(57)【要約】【課題】  ＥＦＭ／ＥＦＭＰｌｕｓクロック期間の測定データの欠落を無くして、ジッタを正確に評価できる光ディスク記録再生装置及び光ディスク評価方法を提供する。【解決手段】カウンタ１１には、２値化回路４からＥＦＭ信号が連続的に取り込まれる。カウンタ１１は、ＥＦＭ信号の極性が変化する毎にカウント値をリセットし、ＥＦＭ信号よりも高周波のカウンタクロックで、ＥＦＭ信号の各ＥＦＭクロック期間をカウントし、カウント値を順次ＦＩＦＯ１２に転送する。ＦＩＦＯ１２は転送された各カウント値を一時的に格納し、所定数のカウント値が格納される毎にバッファＲＡＭ７に所定数のカウント値を一括して書き込む。【選択図】図１
2005293812.tif 000002
【特許請求の範囲】
【請求項１】
光ディスクにレーザ光を照射し、前記光ディスクに記録されたピット又はマークにより変化した前記レーザ光を受光し、前記受光されたレーザ光の光量を電気信号に変換することにより再生信号を得て前記光ディスクの評価を行う光ディスク記録再生装置において、
２値化回路により２進数の信号系列にされた前記再生信号の各クロック期間を高周波カウンタクロックによりカウントするカウンタと、
前記カウンタでのカウント値を一時的に格納すると共に、前記格納された複数のカウント値を一括してバッファＲＡＭの測定データ格納領域に転送する一時記憶回路と、
を有することを特徴とする光ディスク記録再生装置。
【請求項２】
請求項１に記載の光ディスク記録再生装置において、
前記カウンタは２進数の信号系列にされた前記再生信号の各クロック期間の極性を検出して極性データとし、
前記一時記憶回路は、前記カウンタで検出されたカウント値と極性データとを関連付けて一時的に格納すると共に、前記格納された複数のカウント値及び極性データを一括して前記バッファＲＡＭの測定データ格納領域に転送すること、
を特徴とする光ディスク記録再生装置。
【請求項３】
請求項１又は２に記載の光ディスク記録再生装置において、
前記一時記憶回路は、前記カウンタとの間のデータのやり取りでエラーが発生した場合にはエラーデータを前記カウンタで検出されたカウント値に関連付けて前記バッファＲＡＭの測定データ格納領域に転送すること、
を特徴とする光ディスク記録再生装置。
【請求項４】
請求項１乃至３のいずれかに記載の光ディスク記録再生装置において、
前記光ディスクの再生信号に基づいて、前記光ディスク上の位置を示すアドレスデータに付与される同期コードを検出するアドレスデコーダと、
前記検出された同期コードに基づいて、前記光ディスク上の所望の区画領域に対応した前記クロック期間を、前記カウンタにおいてカウントさせるカウンタ制御回路と、
を有することを特徴とする光ディスク記録再生装置。
【請求項５】
請求項１乃至３のいずれかに記載の光ディスク記録再生装置において、
前記光ディスクの再生信号に基づいて前記光ディスク上の位置を示すアドレスデータをデコードするアドレスデコーダと、
前記デコードされたアドレスデータにより特定される、前記光ディスク上の所望の区画領域に対応した前記クロック期間を、前記カウンタにおいてカウントさせるカウンタ制御回路と、
を有することを特徴とする光ディスク記録再生装置。
【請求項６】
請求項５に記載の光ディスク記録再生装置において、
前記アドレスデコーダは、前記アドレスデータのデコードと並行して前記アドレスデータに付与される同期コードを検出しており、
前記カウンタ制御回路は、前記検出された同期コードに基づいて、前記アドレスデータによるクロック期間の特定と、前記カウンタにおける前記カウントの動作と、を同期させること、を特徴とする光ディスク記録再生装置。
【請求項７】
請求項１乃至６のいずれかに記載の光ディスク記録再生装置において、
前記カウンタでのカウント値が、前記光ディスクの規格で定められた特定領域に対応した前記クロック期間をカウントとした値であるか否かを判定する判定回路を有しており、
前記一時記憶回路は、前記カウンタでのカウント値が前記特定領域に対応した前記クロック期間をカウントした値であると判定された場合、その旨を示すコードを前記カウンタで検出されたカウント値に関連付けて前記バッファＲＡＭの測定データ格納領域に転送すること、
を特徴とする光ディスク記録再生装置。
【請求項８】
請求項７に記載の光ディスク記録再生装置において、
前記特定領域は、ＣＡＰＡ（Complimentary Allocated Pit Addressing）方式のヘッダ情報が記録された領域であること、を特徴とする光ディスク記録再生装置。
【請求項９】
光ディスクにレーザ光を照射し、前記光ディスクに記録されたピット又はマークにより変化した前記レーザ光を受光し、前記受光されたレーザ光の光量を電気信号に変換することにより再生信号を得て前記光ディスクの評価を行う光ディスク評価方法において、
２値化手段により２進数の信号系列にされた前記再生信号の各クロック期間を、カウンタにおいて高周波カウンタクロックによりカウントし、
前記カウンタで検出されたカウント値を一時記憶回路へ一時的に格納すると共に、前記格納された複数のカウント値を一括してバッファＲＡＭの測定データ格納領域に転送すること、
を特徴とする光ディスク評価方法。
【請求項１０】
請求項９に記載の光ディスク評価方法において、
前記カウンタにおいて２進数の信号系列にされた前記再生信号の各クロック期間の極性データを検出し、
前記カウンタにおいて検出されたカウント値と極性データとを関連付けて前記一時記憶回路へ一時的に格納すると共に、前記格納された複数のカウント値及び極性データを一括して前記バッファＲＡＭの測定データ格納領域に転送すること、
を特徴とする光ディスク評価方法。
【請求項１１】
請求項１０に記載の光ディスク評価方法において、
前記バッファＲＡＭに転送されたカウント値及び極性データを順次読出し、
２進数の信号系列にされた前記再生信号のクロック期間の特性についての統計演算を行い、
その統計演算の途中結果を逐次前記バッファＲＡＭの統計データ格納領域に書き込むこと、
を特徴とする光ディスク評価方法。
【請求項１２】
請求項１１に記載の光ディスク評価方法において、
前記統計演算は、ピット又はランド毎の２進数の信号系列にされた前記再生信号のクロック期間の特性のヒストグラム、平均値計算、分散値計算のいずれか１つを含むこと、
を特徴とする光ディスク評価方法。
【請求項１３】
請求項１２に記載の光ディスク評価方法において、
前記統計演算は、前後のピット又はランドの２進数の信号系列にされた前記再生信号のクロック期間の条件付きであること、
を特徴とする光ディスク評価方法。
【発明の詳細な説明】
【技術分野】
【０００１】
本発明は、光ディスクにレーザ光を照射し、光ディスクに記録されたピット又はマークにより変化したレーザ光を受光し、受光されたレーザ光の光量を電気信号に変換することにより再生信号を得て光ディスクの評価を行う光ディスク記録再生装置及び光ディスク評価方法に関する。
【背景技術】
【０００２】
従来、光ディスクの評価装置としてジッタメータと呼ばれる評価装置が使用されていた（例えば、以下に示す特許文献１を参照）。このような評価装置は、ジッタと呼ばれる光ディスクの再生信号の滲み具合を定量的に測定するものである。しかし、専用のジッタメータは高価であり、簡便にジッタの評価を行うことはできなかった。そこで、光ディスク再生装置を利用してジッタの評価をする方法が考えだされている。
【０００３】
図２０は、光ディスクの評価機能を有する光ディスク記録再生装置としてのＣＤ記録再生装置１００である。このＣＤ記録再生装置１００における光ディスク２の再生動作を説明する。
【０００４】
ピックアップ部１は、光ディスク２に照射される光の反射光を受け、その光の強弱を電圧値の変化として取り出す。ピックアップ制御部３は、ピックアップ部１が光ディスク２に記憶されたピット又はランドに対応したデータを正しい順序で読み出すことができるように、光ディスク２に対するピックアップ部１の読み取り位置を制御する。２値化回路４は、ピックアップ部１から出力される電圧値の変化を読み取り、５８８ビットを１フレームとするＥＦＭ（Eight to Fourteen Modulation）信号を生成する。このＥＦＭ信号は、“Ｈｉｇｈ”と“Ｌｏｗ”の繰り返しになっている。この“Ｈｉｇｈ”又は“Ｌｏｗ”に相当する期間は３Ｔから１１Ｔの間にあって９種類ある。ここでいうＴとは、１ビットの間隔で、約２３０ｎｓということになる。
【０００５】
デジタル信号処理回路５は２値化回路４から入力されるＥＦＭ信号に対してＥＦＭ復調を施す。更に復調された信号に対してＣＩＲＣ（Cross-Inter leave Reed-Solomon Code
）復号を施し、１フレーム２４バイトからなるＣＤ−ＲＯＭデータを生成する。ＣＤ−ＲＯＭデコーダ６は、デジタル信号処理回路５から入力される復調されたＣＤ−ＲＯＭデータに対して、読み取りエラーを検出して誤り訂正を行い、処理が完了したＣＤ−ＲＯＭデータをホストコンピュータへ出力する。
【０００６】
バッファＲＡＭ７は、ＣＤ−ＲＯＭデコーダ６に接続され、デジタル信号処理回路５からＣＤ−ＲＯＭデコーダ６に入力されるＣＤ−ＲＯＭデータを１ブロック単位で一時的に記憶する。誤り訂正は１ブロック分のデータに対して行われるためＣＤ−ＲＯＭデコーダ６での処理には少なくとも１ブロック分のＣＤ−ＲＯＭデータが必要となる。ＣＤ−ＲＯＭデータの読み出しは逐次行われていくので、それぞれの処理で必要な１ブロック分のＣＤ−ＲＯＭデータをバッファＲＡＭ７が記憶する。バッファＲＡＭ７は大量のデータを記憶する必要があるためＤＲＡＭが用いられる。制御マイコン８は、ＲＯＭ及びＲＡＭを内蔵したいわゆるワンチップマイコンで構成され、ＲＯＭに記憶された制御プログラムに従ってＣＤ−ＲＯＭデコーダ６の動作を制御する。同時に、制御マイコン８は、ホストコンピュータから入力されるコマンドデータあるいはデジタル信号処理回路５から入力されるサブコードデータを一旦内蔵のＲＡＭに記憶する。これにより制御マイコン８はホストコンピュータからの指示に応答して各部の動作を制御し、ＣＤ−ＲＯＭデコーダ６からホストコンピュータへ所望のＣＤ−ＲＯＭデータを出力させる。
【０００７】
次に、このＣＤ記録再生装置１００における光ディスク２のジッタの評価方法を説明する。
【０００８】
ピックアップ部１、光ディスク２、ピックアップ制御部３及び２値化回路４は、制御マイコン８により、光ディスク２の再生動作と同様の動作をする。しかし、制御マイコン８により、デジタル信号処理回路５及びＣＤ−ＲＯＭデコーダ６はその動作が停止され、また、バッファＲＡＭ７は再生動作とは異なる動作をする。
【０００９】
カウンタ１０は、２値化回路４に接続され、２値化回路４から出力されるＥＦＭ信号を取り込む。そして、カウンタ１０では、入力されるＥＦＭ信号よりも高周波のカウンタクロックによりＥＦＭ信号の極性の変化点から次の変化点までの各クロック期間をカウントして、各カウント値をバッファＲＡＭ７に順次書き込む。線速度一定のＣＬＶ動作の１倍速動作ではＥＦＭ信号の１Ｔは約２３０ｎｓなので、それよりも高周波である１周期２ｎｓのカウンタクロックを用いてカウントすると、ＥＦＭ信号のクロック期間３Ｔは約６９０ｎｓ（約２３０ｎｓ×３）であるので、カウント値は理想的には３４５になる。同様に理想的には、ＥＦＭ信号のクロック期間４Ｔのカウント値は４６０、クロック期間５Ｔのカウント値は５７５、・・、クロック期間１１Ｔのカウント値は１２６５というようになる。このような動作を光ディスク２に記録された一定領域のデータに対して行った後、制御マイコン８は、バッファＲＡＭ７に記録された各カウント値を解析してジッタの評価を行う。
【００１０】
ここで、カウンタ１０からＤＲＡＭで構成されるバッファＲＡＭ７へのカウント値の測定データの１ワード（１６ビット）単位での書き込み動作は図２１のように行われる。バッファＲＡＭ７の基本クロックに対して、ＡＣＴ（アクティブ）、ＮＯＰ（ノーオペレーション）、ＷＲＩＴ（ライト：ＤＡＴＡ１を入力）、ＰＲＥ（プリチャージ）、ＮＯＰ（ノーオペレーション）の５つのコマンドをカウンタ１０が出力することで１つのカウント値を測定データとして書き込むことができる。すなわち、１つのカウント値を測定データとしてバッファＲＡＭ７に書き込むためには、基本クロックの５サイクルの期間が必要である。
【００１１】
ＣＤ記録再生装置１００における測定データの書き込みを、図２２を用いてさらに詳細に説明する。カウンタ１０には、２値化回路４からＥＦＭ信号が連続的に取り込まれる。カウンタ１０は、ＥＦＭ信号の極性が“Ｈｉｇｈ”から“Ｌｏｗ”へ（又は“Ｌｏｗ”から“Ｈｉｇｈ”へ）変化する毎にカウント値をリセットし、ＥＦＭ信号よりも高周波のカウンタクロックで、ＥＦＭ信号の各ＥＦＭクロック期間をカウントする。そして、次にＥＦＭ信号の極性が“Ｌｏｗ”から“Ｈｉｇｈ”へ（又は“Ｈｉｇｈ”から“Ｌｏｗ”へ）変化する時、それまでのカウント値をカウンタ１０内のレジスタに保持しつつ、カウント値をリセットする。そして、次のＥＦＭクロック期間を再度カウントすると共に、レジスタに保持された直前のＥＦＭクロック期間のカウント値をバッファＲＡＭ７へ書き込む。このバッファＲＡＭ７への書き込みはカウンタ１０に内蔵されたメモリ管理回路が専ら行い、バッファＲＡＭ７へ書き込むためのコマンドを出力する。このように、カウンタ１０は現在のＥＦＭクロック期間のカウントを行う動作と、直前のＥＦＭクロック期間のカウント値をバッファＲＡＭ７へ書き込む動作とを同時に行っている。カウンタ１０が直前のＥＦＭクロック期間のカウント値を測定データとしてバッファＲＡＭ７へ書き込むには基本クロックの５サイクルの期間Ｔ１が必要である。
【００１２】
最初にＥＦＭ信号の極性が変化したとき、カウンタ１０はカウント値をリセットする。１番目のＥＦＭクロック期間をカウンタクロックでカウントしていき、次にＥＦＭ信号の極性が変化したとき、カウント値Ｎ１をレジスタに保持してカウント値をリセットする。
【００１３】
そして、カウンタ１０は、２番目のＥＦＭクロック期間をカウンタクロックで再度カウントしていき、その間にレジスタに保持されたカウント値Ｎ１をバッファＲＡＭ７に期間Ｔ１で書き込む。次にＥＦＭ信号の極性が変化したとき、カウント値Ｎ２をレジスタに保持してカウント値をリセットする。そして、カウンタ１０は、３番目のＥＦＭクロック期間をカウンタクロックで再度カウントしていき、その間にレジスタに保持されたカウント値Ｎ２をバッファＲＡＭ７に期間Ｔ１で書き込む。このような動作を繰り返して、各ＥＦＭクロック期間のカウント値をバッファＲＡＭ７へ順次書き込んでいく。
【特許文献１】特開平１１−１６７７２０号公報
【発明の開示】
【発明が解決しようとする課題】
【００１４】
しかしながら、上記従来技術では、直前のＥＦＭクロック期間のカウント値をバッファＲＡＭ７へ書き込むには所定の期間Ｔ１が必要であるため、その間にＥＦＭ信号の極性が変化してしまうとカウンタ１０からバッファＲＡＭ７へ書き込むカウント値に測定データ上の欠落が生じることがある。図２２の例では、３番目のＥＦＭクロック期間のカウント値Ｎ３をカウンタ１０からバッファＲＡＭ７へ書き込んでいる間にＥＦＭ信号の極性が変化している。このため、カウント値Ｎ４の測定データがバッファＲＡＭ７へ書き込まれず、ジッタ評価を正確に評価することができないという問題があった。
【００１５】
本発明は、上記従来技術の問題を鑑み、ＥＦＭクロック期間の各カウント値の測定データの欠落を無くして、ジッタを正確に評価することができる光ディスク記録再生装置及び光ディスク評価方法を提供することを目的とする。
【課題を解決するための手段】
【００１６】
本発明は、光ディスクにレーザ光を照射し、前記光ディスクに記録されたピット又はマークにより変化した前記レーザ光を受光し、前記受光されたレーザ光の光量を電気信号に変換することにより再生信号を得て前記光ディスクの評価を行う光ディスク記録再生装置において、前記再生信号を２進数の信号系列にする２値化回路と、２進数の信号系列にされた前記再生信号の各クロック期間を高周波カウンタクロックによりカウントするカウンタと、前記カウンタでのカウント値を一時的に格納すると共に、格納された複数のカウント値を一括してバッファＲＡＭの測定データ格納領域に転送する一時記憶回路と、を有することを特徴とする。
【発明の効果】
【００１７】
本発明によれば、ＥＦＭクロック期間の各カウント値の測定データの欠落を無くして、ジッタを正確に評価することができる。
【発明を実施するための最良の形態】
【００１８】
＝＝＝  第１実施形態  ＝＝＝
＜構成＞
本発明の第１実施形態における光ディスク記録及び／又は再生装置（以下、光ディスク記録再生装置）としてのＣＤ記録再生装置２００は、図１に示す構成である。本実施の形態においては、図２０の従来技術と同様の機能を果たす回路は同一の符号を付し、その説明を省略する。
【００１９】
ＣＤ記録再生装置２００では、カウンタ１１が２値化回路４に接続され、２値化回路４から出力されるＥＦＭ信号を取り込む。そして、カウンタ１１では、入力されるＥＦＭ信号よりも高周波のカウンタクロックによりＥＦＭ信号の各クロック期間をカウントして、各カウント値を一時的に格納する一時記憶回路であるＦＩＦＯ１２に転送する。ＦＩＦＯ１２はレジスタ等で構成されており、ＤＲＡＭで構成されたバッファＲＡＭ７のように測定データの転送に時間はほとんどかからない。ＦＩＦＯ１２は第１レジスタ群及び第２レジスタ群の２つのレジスタ群から構成され、それぞれのレジスタ群は４つのカウント値を一時的に格納することができる。そのため、ＦＩＦＯ１２はカウンタ１１から入力された４つのＥＦＭクロック期間のカウント値を一方のレジスタ群に一時的に格納しつつ、他方のレジスタ群に格納された４つのカウント値を一括してバッファＲＡＭ７へ書き込む。このような動作を光ディスク２に記録された一定期間のデータに対して行った後、制御マイコン８は、バッファＲＡＭ７に記録された各カウント値を解析してジッタの評価を行う。
【００２０】
＜測定データの書き込み＞
＜＜  ノーマルモード  ＞＞
ＣＤ記録再生装置２００における測定データの書き込みを、図２を用いてさらに詳細に説明する。カウンタ１１には、２値化回路４からＥＦＭ信号が連続的に取り込まれる。カウンタ１１は、ＥＦＭ信号の極性が“Ｈｉｇｈ”から“Ｌｏｗ”へ（又は“Ｌｏｗ”から“Ｈｉｇｈ”へ）変化する毎にカウント値をリセットし、ＥＦＭ信号よりも高周波のカウンタクロックで、ＥＦＭ信号の各ＥＦＭクロック期間をカウントする。そして、次にＥＦＭ信号の極性が“Ｌｏｗ”から“Ｈｉｇｈ”へ（又は“Ｈｉｇｈ”から“Ｌｏｗ”へ）変化する時、それまでのカウント値をカウンタ１１内のレジスタに保持してカウント値をリセットする。そして、次のＥＦＭクロック期間を再度カウントすると共に、レジスタに保持された直前のＥＦＭクロック期間のカウント値をＦＩＦＯ１２に転送する。このようにカウンタ１１はカウント値を順次ＦＩＦＯ１２に転送する。
【００２１】
ＦＩＦＯ１２はカウンタ１１から転送されてきたカウント値を第１レジスタ群に順次格納し、第１レジスタ群に４つのカウント値が格納されると、それら４つのカウント値を測定データとして一括してバッファＲＡＭ７へ書き込む。ＦＩＦＯ１２が第１レジスタ群に格納された４つのカウント値を一括してバッファＲＡＭ７へ書き込んでいる間、カウンタ１１から転送されてくるカウント値は第２レジスタ群が一時的に格納する。そして、第２レジスタ群に４つのカウント値が格納されると、それら４つのカウント値を測定データとして一括してバッファＲＡＭ７へ書き込み、その間はカウンタ１１から転送されてくるカウント値は第１レジスタ群に一時的に格納する。
【００２２】
バッファＲＡＭ７への測定データの書き込みはＦＩＦＯ１２に内蔵されたメモリ管理回路が専ら行い、バッファＲＡＭ７へ書き込むためのコマンドを出力する。このようにカウンタ１１は各ＥＦＭクロック期間をカウンタクロックでカウントし、そのカウント値をＦＩＦＯ１２へ順次転送する。ＦＩＦＯ１２は転送された各カウント値を一時的に格納し、４つのカウント値が格納される毎にバッファＲＡＭ７に４つのカウント値を一括して書き込む。
【００２３】
最初にＥＦＭ信号の極性が変化したとき、カウンタ１１はカウント値をリセットする。１番目のＥＦＭクロック期間をカウンタクロックでカウントしていき、次にＥＦＭ信号の極性が変化したとき、カウント値Ｎ１をレジスタに保持してカウント値をリセットする。そして、カウンタ１１は、２番目のＥＦＭクロック期間をカウンタクロックで再度カウントしていき、その間にレジスタに保持されたカウント値Ｎ１をＦＩＦＯ１２へ転送する。ＦＩＦＯ１２はカウント値Ｎ１を受け取ると、ＦＩＦＯ１２内のメモリ管理回路がカウンタ１１に測定データの受取り信号を返信する。
【００２４】
次にＥＦＭ信号の極性が変化したとき、カウント値Ｎ２をレジスタに保持してカウント値をリセットする。そして、カウンタ１１は、３番目のＥＦＭクロック期間をカウンタクロックで再度カウントしていき、その間にレジスタに保持されたカウント値Ｎ２をＦＩＦＯ１２へ転送する。ＦＩＦＯ１２はカウント値Ｎ２を受け取ると、メモリ管理回路がカウンタ１１に測定データの受取り信号を返信する。このような動作を繰り返して、カウンタ１１が５番目のＥＦＭクロック期間をカウンタクロックで再度カウントするとき、その間にレジスタに保持されたカウント値Ｎ４をＦＩＦＯ１２へ転送する。そして、ＦＩＦＯ１２はカウント値Ｎ４を受け取ると、メモリ管理回路がカウンタ１１に測定データの受取り信号を返信するが、ＦＩＦＯ１２は格納できる４つのカウント値がすべて格納されたので、それら一時的に格納された４つのカウント値をバッファＲＡＭ７に一括して書き込む。
【００２５】
ＦＩＦＯ１２が一括してカウント値をバッファＲＡＭ７に書き込んでいる間、カウンタ１１がカウントするＥＦＭクロック期間に短いものが含まれていても、カウントする４つのＥＦＭクロック期間の合計が長ければ、カウント値の測定データをすべてバッファＲＡＭ７へ書き込むことができる。例えば、図２では７番目のＥＦＭクロック期間が１つの測定データをバッファＲＡＭ７へ書き込むのに必要な時間よりも短いが、５〜８番目のＥＦＭクロック期間の合計はカウント値Ｎ１〜Ｎ４をバッファＲＡＭ７へ書き込むのに必要な時間よりも長いので、カウント値の測定データをすべてバッファＲＡＭ７へ書き込むことができる。
【００２６】
＜＜  バーストモード  ＞＞
ここで、ＦＩＦＯ１２からバッファＲＡＭ７への測定データの書き込みを図３のようなバーストモードを用いると更に高速に行うことができる。バーストモードとは、複数のデータをシンクロナスＤＲＡＭ等へ一括して書き込む書き込み動作モードである。バッファＲＡＭ７の基本クロックに対して、ＡＣＴ（アクティブ）、ＮＯＰ（ノーオペレーション）、ＷＲＩＴ（ライト：ＤＡＴＡ１を入力）、ＮＯＰ（ノーオペレーション：ＤＡＴＡ２を入力）、ＮＯＰ（ノーオペレーション：ＤＡＴＡ３を入力）、ＮＯＰ（ノーオペレーション：ＤＡＴＡ４を入力）、ＰＲＥ（プリチャージ）、ＮＯＰ（ノーオペレーション）の８つのコマンドをＦＩＦＯ１２が出力することで４つのカウント値を測定データとして一括して書き込む。すなわち、４つのカウント値を書き込むには、基本クロックの８サイクルの期間Ｔ２で良い。
【００２７】
図３のバーストモードを用いてバッファＲＡＭ７への測定データの書き込みを行う場合、ＣＤ記録再生装置２００における測定データの書き込みは図４のようになる。このとき、期間Ｔ２は期間Ｔ１を４つ合計した時間よりも大幅に短くなるため、ＦＩＦＯ１２はカウント値を余裕を持ってバッファＲＡＭ７に書き込むことができる。
【００２８】
また、図３に例示したバーストモードでなくても、複数の測定データを効率的に短時間にバッファＲＡＭ７に書き込む方法であれば、他の書き込みモードを用いても良い。
【００２９】
＜＜  具体例  ＞＞
次に、本実施の形態における測定データの書き込みを具体的に説明する。図５は測定データの一例である。カウンタ１１は各ＥＦＭクロック期間毎にその期間をカウント値としてカウントする。同時に、カウンタ１１は各ＥＦＭクロック期間毎に“Ｈｉｇｈ”レベルであるか“Ｌｏｗ”レベルであるか判定する。更に、カウンタ１１は、ＦＩＦＯ１２への測定データ転送が正常に行われたか否かを判定し、何らかの異常があった場合にはエラー信号をＦＩＦＯ１２に出力する。カウンタ１１からＦＩＦＯ１２に転送する測定データは、カウント値に１４ビット、Ｈｉｇｈ／Ｌｏｗレベルを表わす極性データに１ビット、エラー有無の情報に１ビットが割り当てられて、合計１６ビットの情報となっている。１番目の測定データは、カウント値が８０３なのでデータは７Ｔ（最も近い理想値は、７Ｔのカウント値８０５）である。２番目の測定データは、カウント値が９１６なのでデータは８Ｔ（最も近い理想値は、８Ｔのカウント値９２０）である。また、ＥＦＭクロック期間毎のレベルが“Ｌｏｗ”の場合には極性データを“０”とし、“Ｈｉｇｈ”の場合には極性データを“１”としている。そして、正常な測定データの場合にはエラー信号を“０”とし、異常な測定データの場合にはエラー信号を“１”としている。
【００３０】
ところで、図５においては、１〜３番目のＥＦＭクロック期間の測定データは正常にカウンタ１１からＦＩＦＯ１２に転送される。しかし、５番目及び６番目のＥＦＭクロック期間がピットの形成不良、再生時のノイズなどの原因により１Ｔ（１Ｔの理想値は、１１５）よりも異常に短くなっている。そのため、５番目及び６番目のＥＦＭクロック期間をカウンタ１１がカウントしている間に転送すべき４番目及び５番目の測定データは正常にはＦＩＦＯ１２に転送できない。すなわち、ＦＩＦＯ１２では４番目及び５番目の測定データを受け取ることができず、ＦＩＦＯ１２は測定データの受取り信号の返信をカウンタ１１に出力しない。このとき、カウンタ１１は４番目の測定データの受取り信号の返信をＦＩＦＯ１２から受けていないので、その次の５番目の測定データにエラー信号を付加してＦＩＦＯ１２に転送しようとする。同様に、カウンタ１１は５番目の測定データの受取り信号の返信をＦＩＦＯ１２から受けていないので、その次の６番目の測定データにもエラー信号を付加してＦＩＦＯ１２に転送する。
【００３１】
このように、４番目及び５番目のＥＦＭクロック期間の測定データはＦＩＦＯ１２へ正常に転送されず、その測定データが欠落することとなり、バッファＲＡＭに書き込まれた測定データは図６のようになる。図６においては分かりやすくするため、バッファＲＡＭ７の各アドレスに書き込まれた１６ビットの情報を、カウント値、Ｈｉｇｈ／Ｌｏｗを表わす極性データ、エラー信号に分けて記載している。すなわち、１〜３番目及び６番目以降のＥＦＭクロック期間の測定データがバッファＲＡＭ７に書き込まれるが、６番目の測定データにはエラー信号が付加されている。このため、このエラー信号の付加された測定データの直前には書き込まれなかった欠落した測定データがあると推定されるので、ジッタの評価時にはこの欠落した測定データ及びエラー信号の付加された測定データ並びにその前後の測定データを除外することで、より信頼性の高いジッタ評価を行うことができる。図６の例では、バッファＲＡＭ７のアドレス３〜５の測定データを評価対象から除外することで、より信頼性の高い正確なジッタ評価ができる。
【００３２】
なお、以上の本実施の形態においては、ＦＩＦＯ１２の格納できるカウント値は４つであったが、複数であれば４つに限られない。
【００３３】
＜ジッタ評価＞
このようにして、図７に示すようにＥＦＭクロック期間の測定データがバッファＲＡＭ７の測定データ格納領域７ａに書き込まれる。この測定データ格納領域７ａはバッファＲＡＭ７の一部の領域が割り当てられている。バッファＲＡＭ７への測定データの書き込みが終了すると、制御マイコン８は測定データをバッファＲＡＭ７から読み出して各種の統計演算を行う。そして、統計演算の途中結果をバッファＲＡＭ７の測定データ格納領域７ａとは異なる領域である統計データ格納領域７ｂに一時的に格納し、統計演算を進めるごとに統計データ格納領域７ｂに格納されたデータを更新していく。
【００３４】
例えば、ＥＦＭ信号が“Ｈｉｇｈ”又は“Ｌｏｗ”に分けて、各カウント値毎の出現頻度を統計演算で求めることができる。統計データ格納領域７ｂの各アドレスをそれぞれピット又はランドの各カウント値の出現頻度を格納する領域とし、制御マイコン８で測定データ格納領域７ａの測定データがどのカウント値か求めて、そのカウント値に対応する統計データ格納領域７ｂのアドレスのデータを加算していく。これを、測定データ格納領域７ａの全測定データについて行うと、最終的に統計データ格納領域７ｂの各アドレスに格納されたデータは、ピット又はランドの各カウント値毎の出現頻度を現すものとなる。その統計演算結果をホストコンピュータが制御マイコン８を通じてバッファＲＡＭ７の統計データ格納領域７ｂから読み出してグラフにすると図８のようになる。この図からジッタと呼ばれる光ディスクの再生信号の滲み具合を定量的に評価することができる。
【００３５】
また、様々な条件付きでジッタの評価を行うこともできる。例えば図９に示すように、統計演算の際に３Ｔの範囲内のカウント値を有するピットについて、直前のランドのデータが４Ｔであり、かつ、直後のランドのデータが８Ｔである第１の条件の場合、各カウント値毎の出現頻度が３Ｔ（１）のように平均が２．８８Ｔであったとする。そして、統計演算の際に３Ｔの範囲内のカウント値を有するピットについて、直前のランドのデータが８Ｔであり、かつ直後のランドのデータが４Ｔである第２の条件の場合、各カウント値毎の出現頻度が図９の３Ｔ（２）のように平均が３．０８Ｔであったとする。このように同じ３Ｔのピットのジッタでも前後のランドの条件によって差が出る。
【００３６】
したがって、光ディスク２へピットを形成してデータを記録する際、同じ３Ｔでも第１の条件の場合にはピット形成のためのレーザ照射のタイミングを０．１２Ｔだけ遅らせるようにする。逆に、光ディスク２への記録の際、同じ３Ｔでも第２の条件の場合にはピット形成のためのレーザ照射のタイミングを０．０８Ｔだけ早めるようにする。これにより、３Ｔ全体のジッタを定量的に低減させることができる。このようなことを様々な条件で調整することにより、ジッタを低減させることができる。特に、高倍速でＣＤ−Ｒ／ＲＷ等の記録型の光ディスクにデータを記録する場合には、ジッタはディスクに記録されたデータの品質に大きく影響する。そのため、あらかじめ高倍速で所定のデータを光ディスクに記録し、その記録品質を評価した後、上記のようにレーザ照射のタイミングを各条件毎に調整することで高品質の記録ができるようになる。
【００３７】
また、２値化回路における閾値の条件を変更したり、光ピックアップのフォーカス条件を変更したりしてジッタを評価することにより、これらの条件についても最適化した条件で光ディスクにデータを書き込むことができるようになる。
【００３８】
さらに、別のジッタ評価としては、光ディスクの内周部や外周部、あるいは特定の部分など物理的な位置によって、ジッタがどのようになっているか評価することで、光ディスク自体に問題がないか評価することもできる。さらに、本発明では高速にＥＦＭ信号の測定データをバッファＲＡＭへ書き込むことができるので、ジッタ評価の際の再生動作を１倍速ではなく高倍速とすることで、再生動作の倍速によるジッタの評価も可能である。
【００３９】
また、ジッタの評価はヒストグラムに限られず、平均値の計算や分散値の計算など他の統計演算でも良い。
【００４０】
なお、本実施の形態ではＣＤ記録再生装置を利用した光ディスク記録再生装置について説明したが、もちろんＤＶＤなど他の種類の光ディスクの記録再生装置でも本発明は有効である。
【００４１】
また、以上の説明では、線速度一定であるＣＬＶ動作の場合について説明しているが、角速度一定であるＣＡＶ動作の場合でもカウント値に対して所定の補正を施すことで、光ディスクの評価を正しく行うことができる。すなわち、線速度は、角速度とピックアップの半径方向の距離との積で表わされるので、ＣＡＶ動作の場合にはバッファＲＡＭに書き込まれたカウント値に対してピックアップの半径方向の距離を乗じて補正をする方法である。
【００４２】
また、例えば、高周波カウンタクロックを、光ディスクから読み出されるデジタル信号が有するビットに同期したクロックを発生するＰＬＬ回路から生成することで線速度に依存した高周波カウンタクロックとする方法もある。ＤＶＤの場合には、ウォブル信号やＬＰＰ（Land Pre Pit）信号に同期したクロックを発生するＰＬＬ回路から高周波カウンタクロックを生成する方法でも良い。
【００４３】
以上、本発明の第１実施形態について説明したが、この第１実施形態は、本発明の理解を容易にするためのものであり、本発明を限定して解釈するためのものではない。本発明は、その趣旨を逸脱することなく、変更／改良され得るとともに、その等価物も含まれる。なお、以下では、本発明の第１実施形態以外の実施形態として、本発明の第２実施形態と、本発明の第３実施形態について説明する。
【００４４】
＝＝＝  第２実施形態  ＝＝＝
＜ＤＶＤ−Ｒ／ＲＷメディアのプリフォーマット＞
図１０を用いてＤＶＤ−Ｒ／ＲＷメディアのプリフォーマット方式であるグルーブウォブルとＬＰＰについて説明する。
【００４５】
ＤＶＤ−Ｒ／ＲＷメディアは、データを記録する螺旋状に形成されたトラックであるグルーブトラック（記録溝）と、隣り合うグルーブトラックの間に、ＬＰＰが予め形成されたランドトラックと、が設定されている。なお、グルーブトラックは一定周期で予めうねらせてある。このうねりの周波数（ウォブリング周波数）は、ＤＶＤ−Ｒ／ＲＷの標準速度では約１４０．６ＫＨｚであり、このウォブリング周波数を１８６逓倍することでマークの単位長に応じたクロック信号を得ることができる。すなわち、１ウォブリング周波数成分の周期は、ＤＶＤ−Ｒ／ＲＷの標準速度「１／２６．１６ＭＨｚ」を「１Ｔ」で表した場合、「１８６Ｔ」である。
【００４６】
グルーブトラックに記録されるデータは、誤り訂正単位であるＥＣＣ（Error Correcting Code）ブロックを複数有する。１ＥＣＣブロックは１６個のセクタ（セクタ０〜セクタ１５）によって構成され、各セクタは２６個のフレーム（フレーム０〜フレーム２５）によって構成される。
【００４７】
１セクタに含まれる２６個のフレームのうち、偶数番目のフレーム（フレーム０、２、・・、２４）はＥＶＥＮフレームと呼ばれ、奇数番目のフレーム（フレーム１、３、・・、２５）はＯＤＤフレームと呼ばれる。ＥＶＥＮフレーム又はＯＤＤフレームに対応する８ウォブルのうち、先頭３ウォブルの頂点位置にはＬＰＰコードが配置されている。ＤＶＤ−Ｒ／ＲＷメディアには、ＬＰＰコードの先頭ビットと、フレームに含まれるデータシンクコードと、の位置を合わせるべく同期してデータが記録される。
【００４８】
なお、１セクタには１３個のＬＰＰコードを含むこととなり、この１３個のＬＰＰコードに基づいて、データ記録位置の基準情報となる１ビットのＬＰＰシンクコードと、物理アドレス情報となる１２ビットのＬＰＰ情報と、がデコードされる。ここで、１ビットのＬＰＰシンクコードのデコード結果を用いることで、ＥＣＣブロック、セクタ、フレームの先頭であることを示す各種シンク信号（後述のブロックシンク（Block Sync）信号、セクタシンク（Sector Sync）信号、フレームシンク（Frame Sync）信号）を生成することが可能となる。また、１２ビットのＬＰＰ情報のデコード結果を用いることで、ブロックアドレス、セクタアドレス、フレームアドレスを取得することが可能となる。
【００４９】
＜ＤＶＤ＋Ｒ／ＲＷ（登録商標）メディアのプリフォーマット＞
図１１を用いてＤＶＤ＋Ｒ／ＲＷメディアのプリフォーマット方式であるＡＤＩＰ（ADdress In Pre groove）について説明する。なお、ＡＤＩＰ方式とは、データ記録位置の基準情報や物理アドレス情報が、ＤＶＤ−Ｒ／ＲＷメディアの場合のＬＰＰを用いるのではなく、グルーブトラックのウォブリング周波数成分の位相変調パターンに対応づけて予め記録される方式のことである。
【００５０】
ＤＶＤ＋Ｒ／ＲＷメディアにおいて、グルーブトラックは一定周期で予めうねらせてある。なお、１ウォブリング周波数成分の周期は、ＤＶＤ＋Ｒ／ＲＷの標準速度「１／２６．１６ＭＨｚ」を「１Ｔ」で表した場合、「３２Ｔ」である。
【００５１】
また、ＤＶＤ＋Ｒ／ＲＷメディアでは、誤り訂正単位であるＥＣＣブロックを複数有する。１ＥＣＣブロックは１６個のセクタによって構成され、１セクタは２６シンクフレームによって構成される。ここで、２シンクフレーム中には９３ウォブルが含まれており、この先頭８ウォブルにおける位相変調パターンによって、２シンクフレームの先頭を示すシンクコードや、物理アドレス情報を示すＡＤＩＰビットが含まれる。
【００５２】
ここで、シンクコードについて詳細に説明する。例えば、図１１中に示すように、１ＥＣＣブロック中の先頭セクタの先頭シンクフレームにおいて、３周期目と４周期目の間のウォブリング周波数成分の位相が１８０°切り替わっている場合とする。この場合、０Ｔから３Ｔまでの合計４Ｔ分のウォブリング周波数成分を用いることで、当該シンクフレームの先頭を示すシンクコードがデコードされる。そして、このようなシンクコードのデコード結果を用いることによって、ＥＣＣブロック、セクタ、フレームの先頭であることを示す各種シンク信号（後述のブロックシンク信号、セクタシンク信号、フレームシンク信号）を生成することが可能となる。
【００５３】
また、１セクタ中にはＡＤＩＰビットが１３ビット分含まれることとなる。ここで、１ＥＣＣブロックは１６セクタによって構成されるので、１ＥＣＣブロック中にはＡＤＩＰビットが２０８ビット分含まれることとなる。また、４セクタ中に含まれる５２ビットのＡＤＩＰビットによって１ＡＤＩＰワードが構成される。そして、この１ＡＤＩＰワードのデコード結果によって、ブロックアドレス、セクタアドレス、フレームアドレスを取得することが可能となる。
【００５４】
＜構成／動作＞
本発明の第２実施形態における光ディスク記録再生装置としてのＤＶＤ記録再生装置３００の構成／動作を、図１３のタイミングチャートを適宜参照しつつ、図１２を用いて説明する。
【００５５】
本発明の第２実施形態において、図１に示した本発明の第１実施形態と同様の機能を果たす回路は、ピックアップ３０１、ピックアップ制御回路３０３、２値化回路３０４、デジタル信号処理回路３０６、バッファＲＡＭ３０７、制御マイコン３０８、ＦＩＦＯ３１３である。なお、光ディスク３０２は、ＤＶＤメディア（ＤＶＤ±Ｒ／ＲＷ、ＤＶＤ−ＲＡＭ、ＤＶＤ−ＲＯＭ等）であるため、図１に示したＣＤ−ＲＯＭデコーダ６は不要である。
【００５６】
デジタル信号処理回路３０６は、ＤＶＤ規格に基づいて、８−１６復調処理、デスクランブル処理、ＥＣＣブロック復号化処理などを実施するＤＶＤ向けデコーダ機能が搭載されている。よって、デジタル信号処理回路３０６は、２値化回路３０４から供給されたＥＦＭＰｌｕｓ信号（８−１６変調信号）に対して、ＤＶＤ向けデコード処理を施すことによって、ＭＰＥＧビデオ、オーディオ、サブピクチャなどのビットストリームデータを再生する。なお、バッファＲＡＭ３０７は、デジタル信号処理回路３０６が有するＤＶＤ向けデコード機能に用いられるバッファメモリとなる。
【００５７】
つぎに、本発明の第２実施形態の特徴的となる構成／動作について説明する。
【００５８】
ピックアップ３０１は、ＤＶＤメディアである光ディスク３０２から、グルーブトラックに記録されてあるピット又はマークに対応したデータの読み出しと並行して、プリフォーマット情報の読み出しが行われる。例えば、ＤＶＤ−Ｒ／ＲＷの場合にはＬＰＰ情報を含んだプリグルーブのウォブル信号が読み出され、ＤＶＤ＋Ｒ／ＲＷの場合にはＡＤＩＰ情報を含んだプリグルーブのウォブル信号が読み出される。
【００５９】
ＬＰＰ／ＡＤＩＰデコーダ３０５は、プリフォーマット情報としてのＬＰＰ情報又はＡＤＩＰ情報を含んだウォブル信号がピックアップ３０１から供給される。そして、シンク検出部３１１によって、当該ウォブル信号に含まれるシンクコードが検出されるとともに、その検出されたシンクコードに対応した各ＥＣＣブロックの先頭を示すブロックシンク信号や各フレームの先頭を示すフレームシンク信号が生成されてカウンタ制御回路３１４に供給される。なお、図１３（ａ）及び（ｂ）は、ＬＰＰ／ＡＤＩＰデコーダ３０５からカウンタ制御回路３１４に供給されるブロック／フレーム信号の一例である。
【００６０】
また、ＬＰＰ／ＡＤＩＰデコーダ３０５は、ピックアップ３１０から供給されたウォブル信号に対するＬＰＰ／ＡＤＩＰデコード処理によって、光ディスク３０２上での物理アドレスを示すセクタ／フレームアドレスをデコードして、セクタ／フレームアドレス格納レジスタ３１０に格納するとともに、前述したブロック／フレームシンク信号と同期を合わせてカウンタ制御回路３１４へと供給される。なお、図１３（ｃ）及び（ｄ）は、ＬＰＰ／ＡＤＩＰデコーダ３０５からカウンタ制御回路３１４に供給されるセクタ／フレームアドレスの一例であり、ブロック／フレームシンク信号の立下りエッジと同期してカウンタ制御回路３１４に順次供給される場合とする。また、セクタ／フレームアドレス格納レジスタ３１０に格納されるセクタ／フレームアドレスは、制御マイコン３０８が、割り込み又はポーリング処理によって取得可能としてもよい。
【００６１】
カウンタ制御回路３１４は、ＬＰＰ／ＡＤＩＰデコーダ３０５から供給されるブロック／フレームシンク信号及びセクタ／フレームアドレスと、制御マイコン３０８から供給されるカウント開始アドレス及びカウント終了アドレスと、に基づいて、２値化回路３０４から供給されるＥＦＭＰｌｕｓ信号に対するカウント動作の開始／終了を制御する。すなわち、カウンタ制御回路３１４は、ＬＰＰ／ＡＤＩＰデコーダ３０５においてデコードされたセクタ／フレームアドレス（及びブロックアドレス）によって特定される光ディスク３０２上の所望の区画領域に対応したＥＦＭＰｌｕｓ信号の各クロック期間を、カウンタ３１２においてカウントさせるための制御回路である。さらに、カウンタ制御回路３１４は、ＬＰＰ／ＡＤＩＰデコーダ３０５から供給されたブロック／フレームシンク信号に基づいて、セクタ／フレームアドレスに基づいたカウント対象となるＥＦＭＰｌｕｓ信号のクロック期間の特定と、カウンタ３１２におけるカウント動作と、を同期させるのである。
【００６２】
具体的に説明すると、制御マイコン３０８からカウンタ制御回路３１４に対して、カウンタ３１２におけるカウント動作を開始するセクタ／フレームアドレス（カウント開始アドレス）と、カウンタ３１２におけるカウント動作を終了するセクタ／フレームアドレス（カウント終了アドレス）と、が予め供給される。なお、カウント開始アドレスは開始アドレス格納レジスタ３１５に格納され、カウント終了アドレスは終了アドレス格納レジスタ３１６に格納される。
【００６３】
制御マイコン３０８は、カウント対象となる目的のＥＣＣブロックのブロックシンク信号が生成される前に、カウンタ制御回路３１４に対してサンプリングトリガー（Sampling Trigger）信号を供給することで、カウンタ制御回路３１４を休止状態から稼動状態へと切り替える。なお、図１３（ｅ）は、サンプリングトリガー信号の一例である。すなわち、カウンタ制御回路３１４は、制御マイコン３０８からサンプリングトリガー信号が供給されるまでは休止状態となるため、その分、消費電力の低減に貢献できる。
【００６４】
カウンタ制御回路３１４は、サンプリングトリガー信号によって稼動状態である場合、まず、スイッチ３１７を開始アドレス格納レジスタ３１５側に切り替える。そして、ＬＰＰ／ＡＤＩＰデコーダ３０５から、目的のＥＣＣブロックに関するブロックシンク信号及びそのＥＣＣブロックの先頭セクタの先頭フレームに関するフレームシンク信号の供給を受けて、比較器３１８において、ＬＰＰ／ＡＤＩＰデコーダ３０５から順次供給されるセクタ／フレームアドレスと、開始アドレス格納レジスタ３１５に格納されたカウント開始アドレスとの比較が行われる。
【００６５】
比較器３１８における比較の結果が一致した場合、カウンタ制御回路３１４は、サンプリングイネーブル（Sampling Enable）信号をアサートする。サンプリングイネーブル信号とは、カウンタ３１２のカウント動作を開始するための制御信号のことであり、例えば、カウンタ３１２におけるカウンタクロックの有効／無効を切り替える信号とする。すなわち、カウンタ３１２は、カウンタ制御回路３１４によってサンプリングイネーブル信号がアサートされるまでは、カウンタクロックが無効（停止）であるためカウント動作が停止しており、その分、消費電力の低減に貢献できる。
【００６６】
なお、図１３（ｆ）は、サンプリングイネーブル信号の一例であり、目的とするセクタ／フレームがセクタ０／フレーム１の場合において、そのセクタ０／フレーム１の先頭を示すフレームシンク信号の立下りエッジによって、サンプリングイネーブル信号がアサート（ＬレベルからＨレベル）された状態となる。そして、サンプリングイネーブル信号がアサートされることで、図１３（ｇ）に示すように、カウンタ３１２におけるカウンタクロックが有効となり、ＥＦＭＰｌｕｓ信号の各クロック期間のカウントが行われるのである。なお、カウント値のＦＩＦＯ３１３への一時的な格納や、複数カウント値の一括したバッファＲＡＭ３０７への書き込みは、前述した第１実施形態の場合と同様である。
【００６７】
また、カウンタ制御回路３１４は、サンプリングイネーブル信号をアサートした後、スイッチ３１７を終了アドレス格納レジスタ３１６側に切り替える。そして、比較器３１８において、ＬＰＰ／ＡＤＩＰデコーダ３０５から順次供給されるセクタ／フレームアドレスと、終了アドレス格納レジスタ３１５に格納されたカウント終了アドレスとの比較が行われる。この比較器３１８における比較の結果が一致したとき、カウンタ制御回路３１４は、サンプリングイネーブル信号をネゲートさせる。この結果、カウンタ３１２では、カウンタクロックが再び無効となり、カウント動作が停止するのである。
【００６８】
＜その他の実施例＞
＜＜  バッファＲＡＭへの書き込み制御  ＞＞
前述した第２実施形態において、サンプリングイネーブル信号によってカウンタ３１２のカウンタ動作を開始／終了させるようにしたが、また別の方法としては、カウンタクロックは常に動作状態でカウント動作を継続させておき、サンプリングイネーブル信号のアサートによって、カウント値のバッファＲＡＭ３０７への書き込みを開始させ、サンプリングイネーブル信号のネゲートによりカウント値のバッファＲＡＭ３０７への書き込みを終了させるといった方法を採用してもよい。
【００６９】
なお、この場合、カウンタ３１２は、前述した第２実施形態の場合のように、カウンタ制御回路３１４から供給されるサンプリングイネーブル信号によってカウント動作が制御されていることと実質的に同一である。よって、本発明に係るカウンタ制御回路３１４によるカウンタ３１２のカウント動作の制御には、前述したようなバッファＲＡＭ３０７へのカウント値の書き込みを開始／終了させる実施態様を含む。
【００７０】
＜＜  ブロックシンク信号によるカウンタ制御  ＞＞
光ディスク記録再生装置は、ホストコンピュータから光ディスク３０２の再生動作指令を受け付けたとき、その再生対象となる１ＥＣＣブロックの一つ前の１ＥＣＣブロックに相当する光ディスク３０２上のＥＣＣブロック領域へと、光ピックアップ３０１を移動させることは、１ＥＣＣブロックの領域がセクタ領域やフレーム領域と比較して広いために、制御マイコン３０８に組み込まれた既存のファームウェア等によって容易に実施可能である。
【００７１】
そこで、前述した第２実施形態において、光ディスク記録再生装置が、１ＥＣＣブロック単位でジッタ評価を行う場合に、ジッタ評価対象となる先頭の１ＥＣＣブロックのブロックシンク信号を検出して、そのブロックシンク信号によってカウンタ３１２のカウント動作を開始させるようにしてもよい。この場合、光ディスク記録再生装置は、ブロックアドレスの取得は不要となるため、図１２に示すセクタ／フレームアドレスレジスタ３１０は設ける必要がなくなる。また、図１２に示すＬＰＰ／ＡＤＩＰデコーダ３０５は、ピックアップ３０１からではなく、デジタル信号処理回路３０６においてデコードされた信号を受信する構成となる。
【００７２】
＜＜  ＣＤ記録再生装置  ＞＞
前述した第２実施形態では、ＤＶＤ記録再生装置について説明したが、勿論ＣＤ記録再生装置としても実施可能である。この場合、図１２に示したＤＶＤ記録再生装置３００の構成を、図１に示したようなＣＤ記録再生装置向けに置き換えればよい。例えば、ＬＰＰ／ＡＤＩＰデコーダ３０５は、ＣＤメディアのプリフォーマット方式であるＡＴＩＰ（Absolute Time In Pre groove）デコーダ（不図示）に置換することとなる。
【００７３】
ここで、ＡＴＩＰとは、ＣＤメディアのグルーブトラックにプリフォーマットされた絶対時間情報としてのアドレスである。１／７５秒に相当する１ＡＴＩＰフレームは、図１４に示すように、つぎの４２ビットによって構成される。最初の４ｂｉｔは、１ＡＴＩＰフレームの開始を示すシンクコードである。すなわち、光ディスク記録再生装置が１ＡＴＩＰを再生する場合、このシンクコードによって１ＡＴＩＰフレームの開始を認識する。また、５〜２８ビット目までの２４ビットは、当該１ＡＴＩＰフレームに相当するＡＴＩＰアドレスであり、Ｍｉｎｕｔｅ（分）、Ｓｅｃｏｎｄ（秒）、Ｆｒａｍｅ（フレーム）によって構成される。なお、２９〜４２ビット目までの１４ビットが、誤り検出符号としてのＣＲＣ（Cyclic Redundancy Code）コードである。
【００７４】
よって、第２実施形態としてのＣＤ記録再生装置では、ＡＴＩＰデコーダは、ピックアップから供給されたＡＴＩＰ情報を含んだウォブル信号に基づいて、当該ウォブル信号に含まれる各ＡＴＩＰフレームのシンクコードを検出するとともにそのシンクコードが検出されたことを示すシンク信号を生成し、さらには、ＡＴＩＰアドレスをデコードすることとなる。また、この場合、カウンタ制御回路は、ＡＴＩＰデコーダにおいてデコードされたＡＴＩＰアドレスによって特定される光ディスク上の所望の区画領域に対応したＥＦＭ信号の各クロック期間を、カウンタにおいてカウントさせる制御を行うこととなる。
【００７５】
＜＜  ピット／マークデータとして記録されたシンクコード  ＞＞
前述した第２実施形態において、光ディスク３０２上の位置情報としては、光ディスク３０２の物理的に予め規定されたプリフォーマット情報（ＬＰＰ情報、ＡＤＩＰ情報、ウォブル情報）から得る以外にも、光ディスク３０２上に記録されたピットデータ又はマークデータから得る方法を採用してもよい。
【００７６】
例えば、ＤＶＤ−ＲＯＭ等のＤＶＤ規格では、前述したように、１ＥＣＣブロック内には１６セクタ有しており、１セクタ毎にアドレスを示すヘッダ情報が付与されている。さらに、図１５に示すように、１セクタ内には２６フレーム有しており、また、各フレームの先頭にはフレームの順番に従ってシンクコードＳＹ０〜ＳＹ７のいずれかが、ピット又はマークとして記録される。よって、光ディスク記録再生装置は、このシンクコードＳＹ０〜ＳＹ７の出現順序を検出することによって、光ディスク３０２の物理的に予め規定されたプリフォーマット情報とは無関係に、セクタアドレスやフレームアドレスを検出する方法としてもよい。
【００７７】
＜効果の実例＞
このように、本発明の第２実施形態によれば、光ディスクのプリフォーマット情報から得られたアドレス情報に基づいて、光ディスク上の所望の区画領域に対応するＥＦＭ／ＥＦＭＰｌｕｓ信号の各クロック期間を特定してジッタ評価をすることができるため、ジッタ評価の信頼性を向上させることが可能となる。また、本発明の第２実施形態によれば、光ディスクのプリフォーマット情報から得られるアドレス情報及びシンクコードに基づいて、ジッタ評価を行うクロック期間の特定と、カウンタ３１２におけるカウント動作と、を同期させることができる。なお、この同期の処理は、ＬＰＰ／ＡＤＩＰデコーダ３０５やカウンタ制御回路３１４等に対して非同期な制御（割り込み／ポーリング）を行う制御マイコン３０８とは独立させて行うものである。すなわち、本発明の第２実施形態によれば、制御マイコンに依存せず、ジッタ評価対象のクロック期間の特定とカウンタにおけるカウント動作とを高精度に同期させることができるため、この結果、ジッタ評価の信頼性をより向上させることができる。
【００７８】
＝＝＝  第３実施形態  ＝＝＝
＜ＤＶＤ−ＲＡＭ／ＲＯＭメディアのプリフォーマット＞
図１６に示すように、ＤＶＤ−ＲＡＭ／ＲＯＭメディアでは、ユーザ情報を書き換え可能なＲｅＷｒｉｔａｂｌｅ領域と、メディア上の物理アドレス等のヘッダ情報がＥｍｂｏｓｓｅｄ−Ｐｉｔとして記録されるＥｍｂｏｓｓ領域とが、交互に配列されている。なお、ランドトラック又はグルーブトラックであるＲｅＷｒｉｔａｂｌｅ領域は、一定周期でウォブルされている。このウォブリング周期を計測することによって、次のＥｍｂｏｓｓｅｄ領域の開始位置を把握できる。
【００７９】
また、Ｅｍｂｏｓｓｅｄ−Ｐｉｔは、ＣＡＰＡ（Complimentary Allocated Pit Addressing）と呼ばれる方式で、１セクタごとに記録されている。ＣＡＰＡ方式とは、Ｅｍｂｏｓｓｅｄ−Ｐｉｔを、記録トラックであるランドトラック又はグルーブトラックに対して、１／２トラックずらして記録する方式のことである。グルーブトラッキング時のアドレスは一方の側のＥｍｂｏｓｓｅｄ−Ｐｉｔ情報（ヘッダ−１、２）から得られ、ランドトラッキング時のアドレスは他方の側のＥｍｂｏｓｓｅｄ−Ｐｉｔ情報（ヘッダ−３、４）から得ることができる。
【００８０】
＜構成／動作＞
本発明の第３実施形態における光ディスク記録再生装置としてのＤＶＤ記録再生装置５００の構成／動作を、図１８のタイミングチャートを適宜参照しつつ、図１７を用いて説明する。
【００８１】
本発明の第３実施形態において、図１に示した本発明の第１実施形態や図１２に示した本発明の第２実施形態と同様の機能を果たす回路は、ピックアップ５０１、ピックアップ制御回路５０３、２値化回路５０４、デジタル信号処理回路５０６、バッファＲＡＭ５０７、制御マイコン５０８、カウンタ５１２である。なお、光ディスク５０２は、ＤＶＤ−ＲＡＭ／ＲＯＭメディアであるため、図１に示したＣＤ−ＲＯＭデコーダ６は不要である。
【００８２】
また、前述した本発明の第２実施形態と同様に、デジタル信号処理回路５０６は、２値化回路５０４から供給されたＥＦＭＰｌｕｓ信号（８−１６変調信号）に対して、ＤＶＤ向けデコード処理を施すことによって、ＭＰＥＧビデオ、オーディオ、サブピクチャなどのビットストリームデータを再生する。なお、この場合、バッファＲＡＭ５０７は、デジタル信号処理回路５０６が有するＤＶＤ向けデコード機能に用いられるバッファメモリとなる。
【００８３】
つぎに、本発明の第３実施形態の特徴的となる構成／動作について説明する。  
ピックアップ５０１は、ＤＶＤ−ＲＡＭメディアである光ディスク５０２から、グルーブトラックに記録されてあるピット又はマークに対応したデータの読み出しが行われる。このとき、光ディスク５０２上のＥｍｂｏｓｓ領域にはＣＡＰＡ方式のＥｍｂｏｓｓｅｄ−Ｐｉｔがプリフォーマットとして予め記録されているので、光ディスク５０２から読み出されたデータには、Ｅｍｂｏｓｓｅｄ−Ｐｉｔ情報が含まれている。
【００８４】
ここで、Ｅｍｂｏｓｓ領域では、ＲｅＷｒｉｔａｂｌｅ領域のグルーブ／ランドトラックとは１／２トラック分位置をずらしてＥｍｂｏｓｓｅｄ−Ｐｉｔが記録されている。よって、ジッタ評価の信頼性を向上させるためには、Ｅｍｂｏｓｓ領域と、ＲｅＷｒｉｔａｂｌｅ領域と、に区分してジッタ評価を行う必要がある。そこで、本発明の第３実施形態では、つぎのＣＡＰＡデコーダ５０５を新たに設けることとする。
【００８５】
ＣＡＰＡデコーダ５０５は、光ピックアップ５０１によって光ディスク５０２から読み出されたデータ、ひいては、２値化回路５０４からカウンタ５１２に供給されてカウント対象となるＥＦＭＰｌｕｓ信号が、Ｅｍｂｏｓｓ領域のＥｍｂｏｓｓｅｄ−Ｐｉｔ情報又はＲｅＷｒｉｔａｂｌｅ領域のユーザ情報のいずれかに対応した信号であるかを判定するものである。また、ＣＡＰＡデコーダ５０５は、Ｅｍｂｏｓｓｅｄ−Ｐｉｔ情報に対応したＥＦＭＰｌｕｓ信号であると判定した場合、カウンタ５１２においてカウントされたカウント値が、Ｅｍｂｏｓｓ領域に対応したカウント値であることを示すためのヘッダ信号（Header Signal）を生成してＦＩＦＯ５１３に供給する。
【００８６】
図１８には、ヘッダ信号の一例を示している。なお、図１８に示すヘッダ信号は、ＣＡＰＡデコーダ５０５においてＥｍｂｏｓｓｅｄ−Ｐｉｔ情報又はユーザ情報のいずれかと判定されたデータと、カウンタ５１２においてカウント対象となるデータと、の同期がとれていない状況が起こりえるため、Ｅｍｂｏｓｓ領域との境界付近にあるＲｅＷｒｉｔａｂｌｅ領域のユーザ情報も含めて、Ｅｍｂｏｓｓ領域のＥｍｂｏｓｓｅｄ−Ｐｉｔ情報として取り扱う。
【００８７】
ＦＩＦＯ５１３は、本発明の第１又は第２実施形態の場合と同様に、カウンタ５１２から順次転送されるカウント値を一時記憶して、所定数分の一時記憶されたカウント値を一括してバッファＲＡＭ５０７の測定データ格納領域７ａへ書き込むものである。なお、ＦＩＦＯ５１３は、ＣＡＰＡデコーダ５０５からヘッダ信号が供給された状態の場合、カウンタ５１２から順次転送されて一時記憶したカウント値が、Ｅｍｂｏｓｓ領域に対応したカウント値であることを識別する。このとき、ＦＩＦＯ５１３は、所定数分の一時記憶させたカウント値に対して、Ｅｍｂｏｓｓ領域に対応したカウント値である旨を示すコード（後述の「ＣＡＰＡ  ＥＲＲＯＲ」）を関連付けて、バッファＲＡＭ５０７の測定データ格納領域７ａへ一括して書き込むこととする。
【００８８】
図１９は、本発明の第３実施形態におけるバッファＲＡＭ５０７に書き込まれるデータの一例である。図５に示した例と同様に、「カウント値」とは、カウンタ５１２において各ＥＦＭＰｌｕｓクロック期間をカウントした値であり、「Ｈｉｇｈ／Ｌｏｗ」とは、ＥＦＭＰｌｕｓクロック期間の極性データである。また、「カウントＥＲＲＯＲ」とは、制御マイコン５０８が、カウンタ５１２からＦＩＦＯ５１３への測定データの転送が正常に行われたか否かを識別するためのエラーコードであり、例えば、正常の場合は“０”、異常の場合は“１”とする。
【００８９】
さらに、「ＣＡＰＡ  ＥＲＲＯＲ」とは、制御マイコン５０８が、カウンタ５１２においてカウントされたＥＦＭＰｌｕｓクロック期間が、Ｅｍｂｏｓｓ領域に対応した期間であるか否かを識別するためのエラーコードである。例えば、カウンタ５１２においてカウントされたＥＦＭＰｌｕｓクロック期間が、Ｅｍｂｏｓｓ領域に対応した期間を含めた形で、ＣＡＰＡデコーダ５０５において生成されたヘッダ信号に対応する期間である場合には“１”とし、それ以外の場合には“０”とする。
【００９０】
＜その他の実施例＞
前述した第３実施形態において、光ディスク上でユーザ情報が記録される領域（例えば、ＲｅＷｒｉｔａｂｌｅ領域）と区分させる領域としては、前述したＤＶＤ−ＲＡＭメディアのＥｍｂｏｓｓ領域に限定されるものではなく、グルーブ／ランドトラックに対して１／２トラック分位置をずらして記録するＥｍｂｏｓｓｅｄ−Ｐｉｔのように、種々の光ディスクの規格に応じた特殊なデータが記録される特定領域であればよい。
【００９１】
また、前述した第３実施形態において、Ｅｍｂｏｓｓ領域のジッタ評価を行わない場合には、ＣＡＰＡデコーダ５０５においてＥｍｂｏｓｓｅｄ−Ｐｉｔ情報と判定されたとき、カウンタ５１２に供給されるカウンタクロックを無効としてカウンタ５１２を停止させてもよい。
【００９２】
＜効果の実例＞
制御マイコン５０８は、前述したようなバッファＲＡＭ５０７への各種データの書き込みが完了した後、バッファＲＡＭ５０７に書き込まれた各カウント値を解析してジッタ評価を行うこととなる。なお、バッファＲＡＭ５０７には各カウント値に関連付けて「ＣＡＰＡ  ＥＲＲＯＲ」が書き込まれている。よって、制御マイコン５０８は、バッファＲＡＭ５０７に書き込まれた「ＣＡＰＡ  ＥＲＲＯＲ」に基づいて、Ｅｍｂｏｓｓ領域とＲｅＷｒｉｔａｂｌｅ領域のジッタ評価を区分して行うことが可能となる。すなわち、本発明の第３実施形態によれば、ジッタ評価の信頼性をより向上させることができる。
【図面の簡単な説明】
【００９３】
【図１】本発明による光ディスク記録再生装置の第１実施形態を示すブロック図である。
【図２】本発明の第１実施形態における測定データ書き込みの説明図である。
【図３】本発明の第１実施形態におけるバッファＲＡＭの書き込み動作の説明図である。
【図４】本発明の第１実施形態における測定データ書き込みの説明図である。
【図５】本発明の第１実施形態における測定データの一例である。
【図６】本発明の第１実施形態におけるバッファＲＡＭに書き込まれた測定データの説明図である。
【図７】本発明の第１実施形態におけるバッファＲＡＭでのデータ格納領域の説明図である。
【図８】本発明の第１実施形態における測定データの統計演算の一例である。
【図９】本発明の第１実施形態における測定データの統計演算の他の一例である。
【図１０】ＬＰＰ方式を採用した光ディスクのプリフォーマットの説明図である。
【図１１】ＡＤＩＰ方式を採用した光ディスクのプリフォーマットの説明図である。
【図１２】本発明による光ディスク記録再生装置の第２実施形態を示すブロック図である。
【図１３】本発明の第２実施形態における測定データ・サンプリング区間の設定動作の説明図である。
【図１４】ＡＴＩＰ方式を採用した光ディスクのプリフォーマットの説明図である。
【図１５】ＤＶＤ規格の１セクタのデータフォーマットを説明する図である。
【図１６】ＣＡＰＡ方式を採用した光ディスクのプリフォーマットの説明図である。
【図１７】本発明による光ディスク記録再生装置の第３実施形態を示すブロック図である。
【図１８】本発明の第３実施形態における測定データ・サンプリング区間の設定動作の説明図である。
【図１９】本発明の第３実施形態における測定データの一例である。
【図２０】従来の光ディスク記録再生装置のブロック図である。
【図２１】従来の光ディスク記録再生装置のバッファＲＡＭへの書き込み動作の説明図である。
【図２２】従来の光ディスク記録再生装置の測定データ書き込みの説明図である。
【符号の説明】
【００９４】
１、３０１、５０１  ピックアップ
２、３０２、５０２  光ディスク
３、３０３、５０３  ピックアップ制御回路、
４、３０４、５０４  ２値化回路
５、３０６、５０６  デジタル信号処理回路、
６  ＣＤ−ＲＯＭデコーダ
７、３０７、５０７  バッファＲＡＭ
８、３０８、５０８  制御マイコン
１０、１１、３１２、５１２  カウンタ、
１２、３１３、５１３  ＦＩＦＯ
１００、２００  ＣＤ記録再生装置
３００、５００  ＤＶＤ記録再生装置
３０５  ＬＰＰ／ＡＤＩＰデコーダ
３１０  セクタ／フレームアドレス格納レジスタ
３１１  シンク検出部、  ３１４  カウンタ制御回路
３１５  開始アドレス格納レジスタ、  ３１６  終了アドレス格納レジスタ
３１７  スイッチ、  ３１８  比較器
【図１】
2005293812.tif 000003
【図２】
2005293812.tif 000004
【図３】
2005293812.tif 000005
【図４】
2005293812.tif 000006
【図５】
2005293812.tif 000007
【図６】
2005293812.tif 000008
【図７】
2005293812.tif 000009
【図８】
2005293812.tif 000010
【図９】
2005293812.tif 000011
【図１０】
2005293812.tif 000012
【図１１】
2005293812.tif 000013
【図１２】
2005293812.tif 000014
【図１３】
2005293812.tif 000015
【図１４】
2005293812.tif 000016
【図１５】
2005293812.tif 000017
【図１７】
2005293812.tif 000018
【図１８】
2005293812.tif 000019
【図１９】
2005293812.tif 000020
【図２０】
2005293812.tif 000021
【図２１】
2005293812.tif 000022
【図２２】
2005293812.tif 000023
【図１６】
2005293812.tif 000024